【事件の表示】
　平成１１年特許願第１９９４５７号「ＤＣ／ＤＣコンバータ」拒絶査定不服審判事件〔平成１２年　７月１８日出願公開、特開２０００−２０１４７３〕について、次のとおり審決する。
【結　論】
　本件審判の請求は、成り立たない。
【理　由】
１．手続の経緯
　本願は、平成１１年７月１３日（国内優先権主張　平成１０年７月１４日及び平成１０年１１月５日）の出願であって、平成１７年１１月１５日付で拒絶査定がなされ、これに対し、同年１２月１９日に拒絶査定に対する審判請求がなされるとともに手続補正がなされたものである。
　
２．平成１７年１２月１９日付の手続補正についての補正却下の決定
［補正却下の決定の結論］
　　平成１７年１２月１９日付の手続補正を却下する。
［理由］
（１）補正後の本願発明
　本件補正により、特許請求の範囲の請求項１は、
　「外部供給電源から与えられる外部供給電圧を所定の定電圧に変換して
出力するようにスイッチングトランジスタをスイッチング制御するスイッチング型定電圧電源の一種であって、負荷出力側の出力直流電圧が低下した際にスイッチングトランジスタのＯＮ時間を長くする一方で、負荷出力側出力直流電圧が上昇した際にスイッチングトランジスタのＯＮ時間を短くするようにスイッチング周波数を一定に保持した状態でスイッチングトランジスタのＯＮ時間とＯＦＦ時間の合計に対するＯＮ時間の割合であるデューティ率（デューティファクタ）を変更して負荷出力側出力直流電圧を一定電圧に制御するパルス幅変調制御方式のＤＣ／ＤＣコンバータにおいて、
　前記負荷出力側出力直流電圧の供給先の負荷で消費される負荷電流の軽重を検出すると共に、当該負荷の軽重
を検出する識別レベルにヒステリシス特性を持たせた
　前記負荷出力側出力直流電圧の目標電圧値からのずれ量を検出すると共に、当該上昇電圧または当該低下電圧に応じた誤差検出増幅信号を生成する誤差検出増幅手段と、
　前記誤差検出増幅信号に基づいて前記負荷出力側出力直流電圧が低下したと判断した際に前記スイッチングトランジスタのＯＮ時間を長くしまた前記誤差検出増幅信号に基づいて前記負荷出力側出力直流電圧が上昇したと判断した際に前記スイッチングトランジスタのＯＮ時間を短くするように、前記スイッチング周波数を一定に保持した状態で当該スイッチングトランジスタの前記デューティ率を変更するパルス幅変調制御用の負荷制御信号を生成するコントローラと、
　負荷及び前記負荷制御信号ならびに前記負荷軽重検出信号に対して各々並列に接続され当該負荷制御信号に応じて当該負荷に前記負荷出力側出力直流電圧を供給する複数の前記スイッチングトランジスタと、当該複数のスイッチングトランジスタのうち予め決められた１つを前記負荷軽重検出信号に応じて非活性化するドライバ選択部と
を有することを特徴とするＤＣ／ＤＣコンバータ。」
と補正された。
　
　上記補正は、請求項１に記載した発明を特定するために必要な事項である「負荷軽重検出信号」について「検出する識別レベルにヒステリシス特性を持たせた」との限定を付加するものであって、特許法第１７条の２第４項第２号の特許請求の範囲の減縮を目的とするものに該当する。
　そこで、本件補正後の前記請求項１に記載された発明（以下「本件補正発明」という。）が特許出願の際独立して特許を受けることができるものであるか（特許法第１７条の２第５項において準用する同法第１２６条第５項の規定に適合するか）について以下に検討する。
（２）引用文献
　原査定の拒絶の理由に引用された特開平８−１９２５０号公報（以下「引用文献」という。）には、「電源装置」に関し、図面と共に次の事項が記載されている。
・「【０００１】
【産業上の利用分野】この発明は電源装置、特にスイッチ素子のスイッチング動作によって入力電圧をチョッピングして所望の出力電圧を生成する電源装置（通常スイッチング電源と呼ばれる電源装置）に関するものである。」
・「【０００２】
【従来の技術】バッテリ等の直流電圧から異なる出力電圧を生成する電源装置として従来一般的なものに、スイッチング電源と呼ばれる電源装置がある。この電源装置は、トランジスタなどのスイッチ素子を高速にオン、オフさせ、一定の時間比率で入力電圧を出力端子に出力すること（いわゆるチョッピング）によって、必要な電圧を生成するもので、簡単な構成の割に高効率な動作が得られるため、バッテリ駆動の携帯機器や低消費電力を目指す機器に広く使用されている。」
・「【０００７】パルス制御回路４は、スイッチ素子群２のオン期間をｔｏｎ、オフ期間をｔｏｆｆ、オン・オフの周期をｔｓ（＝ｔｏｎ＋ｔｏｆｆ）とするパルスを出力する。このとき、ｔｓに対するｔｏｎの比率Ｄは基準電圧Ｖｒと直流電源１の電圧Ｖｉｎから、次のように決められるものとする。
【０００８】ｔｏｎ／ｔｓ≡Ｄ＝Ｖｒ／Ｖｉｎ
すると出力電圧Ｖｏｕｔと直流電源１の電圧Ｖｉｎとの関係は次式で示され、
Ｖｏｕｔ＝（ｔｏｎ／ｔｓ）×Ｖｉｎ
＝Ｄ×Ｖｉｎ
＝Ｖｒ
となる。すなわちパルス制御回路４は基準電圧Ｖｒに応じたＤのパルスを発生して、出力電圧Ｖｏｕｔを調整する。」
・「【００１４】こうして得られた補正基準電圧Ｖｒ’は、パルス制御回路４へと入力される。このパルス制御回路４は、補正基準電圧Ｖｒ’が大きいほど出力パルスがオンである時間の比率を増加させ、逆の場合はオン比率を減少させるものである。そのため、現在の出力電圧Ｖｏｕｔが基準電圧Ｖｒより低ければ補正基準電圧Ｖｒ’が（１）式に従って増加し、オン比率が増加する。一方、現在の出力電圧Ｖｏｕｔが基準電圧Ｖｒより高ければ補正基準電圧Ｖｒ’が減少し、オン比率が減少することになる。」
・「【００１５】こうして発生したパルス制御回路４の出力パルスは、スイッチ素子群２を制御するドライバ５に入力される。ドライバ５の出力はスイッチ素子群２のゲートに接続されている。ここでパルス制御回路４の出力パルスがハイならばドライバ５がスイッチ素子群２がオンし、ローならばオフする。この結果、スイッチ素子群２による直流電源１のチョッピングが可能となる。この際、前記した誤差電圧増幅回路６およびパルス制御回路４の動作によって、出力電圧Ｖｏｕｔを上昇させるべきときにはスイッチ素子群２のオンの比率が増加し、下降させるべきときにはスイッチ素子群２のオンの比率が減少するため、上昇と下降の均衡する点で所望の電圧が得られる。」
・「【００１６】
【発明が解決しようとする課題】以上の原理によれば、所望の出力電圧が得られるものの、電源装置の効率という点からは考察を要する点がある。すなわち、スイッチ素子には寄生抵抗として必ずオン抵抗が存在するため、このオン抵抗による定常的な電力消費（損失）が生じる点である。電源装置の組み込まれる本体装置が電池動作をするような場合、こうした定常的損失は最小限に抑える必要がある。近年、電源装置の効率改善手段として、スイッチ素子のオン抵抗低減による定常的損失の改善が進んでいるものの、この場合、スイッチ素子が大型化する傾向にある。大型化によってオン抵抗は減るが、このとき入力容量等の寄生容量が増加し、スイッチ素子の応答時間が長くなる結果、スイッチのオン・オフ遷移中にスイッチ素子自身で大きなスイッチング損失（過渡的損失）が発生する。これら２つの損失の関係を図１５によって説明する。」
・「【００２０】
【課題を解決するための手段】上記課題を解決するために本発明の電源装置は、基準電圧に応じて必要な幅のパルスを発生するパルス制御回路と、パルス制御回路の発生するパルスに従ってスイッチング動作し、入力電圧をチョッピングしてパルス電圧を生成する複数のスイッチ素子を含むスイッチ素子群と、出力すべき電圧、電流又は電力に応じてスイッチ素子群から動作すべきスイッチ素子を選択するスイッチ素子選択回路と、スイッチ素子選択回路が選択したスイッチ素子によって生成されたパルス電圧を平滑し、所望の出力電圧を生成する平滑回路と、を備えるものである。」
・「【００２１】また本発明の電源装置におけるスイッチ素子選択回路は、出力すべき電圧、電流又は電力に応じて、前記スイッチ素子群から異なる個数のスイッチ素子を選択することを特徴とするものである。」
・「【００２７】図１において、スイッチ素子群２は２つのスイッチ素子２１および２２から構成され、これらのスイッチ素子は並列に配置されている。」
・「【００３４】なお、出力電圧が切り替え電圧Ｖｘ付近にある場合、切換えが頻繁に生じて動作が不安定になる可能性があるが、その場合はスイッチ素子選択回路にヒステリシス特性を与え、安定動作をさせればよい。」
・「【００４４】図９の曲線１，２，…，ｍ，…，ｎは、各々１個、２個、…、ｍ個、…、ｎ個のスイッチ素子を用いた場合の特性である。ここで、曲線１と曲線２の交点の電圧をＶｘ１、曲線２と曲線３の交点の電圧をＶｘ２とし、以下同様に曲線ｎ−１と曲線ｎの交点の電圧をＶｘｎ−１とする。本実施例では、以下の関係式に従って選択動作させるスイッチ素子（ドライバ）の個数を決定する。
【００４５】
　　　　　　　　Ｖｏｕｔ≧Ｖｘｎ−１：ｎ個
　　Ｖｘｎ−２≦Ｖｏｕｔ＜Ｖｘｎ−１：ｎ−１個
　　　　　　　　　・
　　　　　　　　　・
　　Ｖｘｍ−１≦Ｖｏｕｔ＜Ｖｘｍ　　：ｍ個
　　　　　　　　　・
　　　　　　　　　・
　　　　　　　　Ｖｏｕｔ＜Ｖｘ１　　：１個
以上の構成における動作を説明する。
【００４６】出力電圧Ｖｏｕｔの大きさがＶｘｎ−１以上なら、スイッチ素子選択回路７がｎ個のドライバ５１，５２，…，５ｎのすべてを選択するため、これらｎ個のドライバ５１，…，５ｎがパルス制御回路４で生成されたパルスに従ってｎ個のスイッチ素子２１，…，２ｎをスイッチングさせる。またＶｏｕｔがＶｘｎ−１未満だがＶｘｎ−２以上ならば、ｎ−１個のスイッチ素子を選択し、以下同様に、ｎ−２個，…，ｍ個、…，１個のスイッチ素子を選択していく。この結果本実施例の出力電圧−効率特性は図１０の実線をたどり、低域から高域に至るまで、第二の実施例と同様、第一の実施例よりもさらに効率の良い電源装置が得られる。」
　
　これらの記載によれば、引用文献には、次の事項からなる発明（以下「引用発明」という。）が記載されているといえる。
　
　「バッテリ等の直流電圧から必要な出力電圧を生成するようにトランジスタなどのスイッチ素子を高速にオン、オフさせる電源装置であって、出力電圧が基準電圧より低ければ出力パルスがオンである時間の比率を増加させ、一方、出力電圧が基準電圧より高ければ出力パルスがオンである時間の比率を減少させるようにスイッチ素子群のオン比率を変更することによって、必要な電圧を得るように制御する電源装置において、
　前記出力電圧の基準電圧との差を検出すると共に、補正基準電圧を生成する誤差電圧増幅回路と、
　前記誤差電圧増幅回路の出力に基づいて、出力電圧が基準電圧より低ければ出力パルスがオンである時間の比率を増加させまた出力電圧が基準電圧より高ければ出力パルスがオンである時間の比率を減少させるようにスイッチ素子群のオン比率を変更することによって、必要な幅のパルスを発生するパルス制御回路と、
　出力すべき電圧、電流又は電力に応じて、負荷に前記出力電圧を供給する、並列に接続された複数の前記スイッチ素子と、当該複数のスイッチ素子のうちから前記出力すべき電圧、電流又は電力に応じて動作させる個数を、ヒステリシス特性を持たせて決定するスイッチ素子選択回路と
を有する電源装置。」
　
（３）対比
　本件補正発明と引用発明とを対比すると、後者の「バッテリ等の直流電圧」は前者の「外部供給電源から与えられる外部供給電圧」に相当し、以下同様に「……から必要な出力電圧を得る」は「……を所定の定電圧に変換して出力する」に、「トランジスタなどのスイッチ素子」および「スイッチ素子」は「スイッチングトランジスタ」に、「高速にオン、オフさせる」は「スイッチング制御する」に、「電源装置」は「スイッチング型定電圧電源の一種」及び「ＤＣ−ＤＣコンバータ」に、「出力電圧」は「負荷出力側の出力直流電圧」及び「負荷出力側出力直流電圧」に、「基準電圧より低ければ」は「低下した際に」及び「低下したと判断した際に」に、「出力パルスがオンである時間の比率を増加させ」は「スイッチングトランジスタのＯＮ時間を長くする（又は「長くし」）」に、「基準電圧より高ければ」は「上昇した際に」及び「上昇したと判断した際に」に、「出力パルスがオンである時間の比率を減少させる」は「スイッチングトランジスタのＯＮ時間を短くする」に、「出力電圧を得るように」は「負荷出力側出力直流電圧を一定電圧に」に、「基準電圧との差」は「目標電圧値からのずれ量」に、「補正基準電圧」は「上昇電圧または低下電圧に応じた誤差検出増幅信号」に、「誤差電圧増幅回路」は「誤差検出増幅手段」に、「誤差増幅回路の出力」は「誤差検出増幅信号」に、「必要な幅のパルスを発生するパルス制御回路」は「スイッチングトランジスタのデューティ率を変更する負荷制御信号を生成するコントローラ」に、「スイッチ素子選択回路」は「ドライバ選択部」に、それぞれ相当する。
　また、後者の「スイッチ素子群のオン比率を変更することによって、必要な電圧を得る」という態様は、前者の「スイッチングトランジスタのデューティ率を変更」という態様に相当する。
　そして、後者の「複数のスイッチ素子のうちから前記出力すべき電圧、電流又は電力に応じて動作させる個数を決定」することは、複数のスイッチ素子のうちいずれかを非活性化することは明らかであるから、前者の「複数のスイッチングトランジスタのうち予め決められた１つを前記負荷軽重検出信号に応じて非活性化する」とは、「いずれかのスイッチングトランジスタを負荷軽重検出信号に応じて非活性化」している点で共通する。
　
　したがって両者は、
　　［一致点］
「外部供給電源から与えられる外部供給電圧を所定の定電圧に変換して出力するようにスイッチングトランジスタをスイッチング制御するスイッチング型定電圧電源の一種であって、負荷出力側の出力直流電圧が低下した際にスイッチングトランジスタのＯＮ時間を長くする一方で、負荷出力側出力直流電圧が上昇した際にスイッチングトランジスタのＯＮ時間を短くするようにスイッチングトランジスタのデューティ率を変更して負荷出力側出力直流電圧を一定電圧に制御するＤＣ／ＤＣコンバータにおいて、
　前記負荷出力側出力直流電圧の供給先の負荷で消費される負荷電流の軽重を検出すると共に、当該負荷の軽重を検出する識別レベルにヒステリシス特性を持たせた負荷軽重検出信号を生成する負荷電流検出手段と、
　前記負荷出力側出力直流電圧の目標電圧値からのずれ量を検出すると共に、当該上昇電圧または当該低下電圧に応じた誤差検出増幅信号を生成する誤差検出増幅手段と、
　前記誤差検出増幅信号に基づいて前記負荷出力側出力直流電圧が低下したと判断した際に前記スイッチングトランジスタのＯＮ時間を長くしまた前記誤差検出増幅信号に基づいて前記負荷出力側出力直流電圧が上昇したと判断した際に前記スイッチングトランジスタのＯＮ時間を短くするように、スイッチングトランジスタのデューティ率を変更する負荷制御信号を生成するコントローラと、
　各々並列に接続され当該負荷制御信号に応じて当該負荷に前記負荷出力側出力直流電圧を供給する複数の前記スイッチングトランジスタと、当該複数のスイッチングトランジスタのうちからいずれかのスイッチングトランジスタを前記負荷軽重検出信号に応じて非活性化するドライバ選択部と
を有するＤＣ／ＤＣコンバータ。」である点で一致し、
　　［相違点］
　（ア）本件補正発明では、負荷出力側出力直流電圧を一定電圧に制御する「ＤＣ／ＤＣコンバータ」が、「スイッチング周波数を一定に保持した状態でスイッチングトランジスタのＯＮ時間とＯＦＦ時間の合計に対するＯＮ時間の割合であるデューティ率（デューティファクタ）を変更」する「パルス幅変調方式」のものであり、「コントローラ」が「スイッチング周波数を一定に保持した状態で当該スイッチングトランジスタのデューティ率を変更するパルス幅変調制御用の負荷制御信号を生成する」ものであるのに対して、引用発明では、「一定の時間比率で入力電圧を出力端子に出力すること（いわゆるチョッピング）によって、必要な電圧を生成する」ものの、周波数については特定されていない点、及び
　（イ）スイッチングトランジスタが、本件補正発明では、「負荷及び前記負荷制御信号ならびに前記負荷軽重検出信号に対して各々並列に接続され」ているのに対して、引用発明では、スイッチングトランジスタ同士は並列であり、負荷制御信号に対しては並列に接続されているものの、そのスイッチの並列回路が負荷に直列に接続されている点、及び
　（ウ）非活性化するスイッチングトランジスタが、本件補正発明では、あらかじめ決められた１つであるのに対し、引用発明では、この様な特定をしていない点、及び
　（エ）本件補正発明では、「負荷出力側出力直流電圧の供給先の負荷で消費される負荷電流の軽重を検出すると共に、当該負荷の軽重を検出する識別レベルにヒステリシス特性を持たせた負荷軽重検出信号を生成する負荷電流検出手段」を有するのに対し、引用発明では、この様な構成を有していない点で相違している。
　
（４）相違点に対する判断
　　相違点（ア）について
　ＤＣ−ＤＣコンバータにおいて、スイッチングの周波数を一定としてデューティー制御を行う構成は、原査定の拒絶の理由に引用された特開平９−２８０７７号公報等に記載されており、周知の事項と認められ、この点の相違は必要に応じて適宜設計し得る事項と認めざるを得ない。
　　相違点（イ）について
　ＤＣ−ＤＣコンバータにおいて、スイッチングトランジスタを負荷に対して並列に接続する構成は、実開昭６２−３３６８８号公報，特開平１−１５２９５５号公報，実開平４−８６０８８号公報等に記載されており周知の事項と認められる。
　そして、スイッチングトランジスタの配置がいずれであっても出力電圧が低下すればオン時間を長くし、出力電圧が上昇すればオン時間を短くすることで出力電圧を一定にする点で制御に相違はなく、負荷が大きければスイッチングトランジスタの容量を大きくすべき事も共通する事項であるから、引用発明において、スイッチングトランジスタの接続を、上記周知の、負荷に並列に接続する構成とすることは任意に為し得る事項と認められる。そして、並列接続されたスイッチングトランジスタの制御信号を並列とすることも任意である。
　　相違点（ウ）について
　引用発明において、個数の決定に際してオフとなるスイッチ素子は任意であるが、スイッチ素子の入力容量が異なれば、最適な容量のものを選択するであろうことは容易に考え得る事項であり、容量が同じであれば決められた順番で選択することもまた任意であるからこの点の相違は必要に応じて適宜設計し得る事項と認められる。
　　相違点（エ）について
　引用発明において、「出力すべき電圧、電流又は電力に応じてスイッチ素子を選択する」手段が負荷の軽重に応じてスイッチ素子を選択していることは明らかであり、そのスイッチ素子選択回路にヒステリシス特性を持たせる構成も有している。
　そして、負荷の軽重を検出し、当該負荷の軽重を検出する識別レベルにヒステリシスを持たせることが周知の事項（例．特開平１−１５２９５５号公報，特開平２−２９０１６０号公報，特開平８−３４０６７５号公報参照）であることから、引用発明の、スイッチ素子選択回路にヒステリシス特性を持たせる手段として、「負荷出力側出力直流電圧の供給先の負荷で消費される負荷電流の軽重を検出すると共に、当該負荷の軽重を検出する識別レベルにヒステリシス特性を持たせた負荷軽重検出信号を生成する負荷電流検出手段」を用いることで相違点（エ）に係る本件補正発明の構成とすることは当業者に容易である。
　
　また、本件補正発明の奏する効果は、引用文献に記載された発明及び上記周知の事項から予測しうる程度のものと認められる。
　したがって、本件補正発明は、引用文献に記載された発明及び上記周知の事項に基づいて当業者が容易に発明をすることができたものと認められるので特許法第２９条第２項の規定により特許出願の際独立して特許を受けることができないものである。
　
（５）むすび
　以上のとおり、本件補正は、特許法第１７条の２第５項で準用する同法第１２６条第５項の規定に違反するものであり、特許法第１５９条第１項で準用する特許法第５３条第１項の規定により却下されるべきものである。
　
３．本願発明について
　平成１７年１２月１９日付の手続補正は上記のとおり却下されたので、本願の請求項１に係る発明（以下、同項記載の発明を「本願発明」という。）は、平成１７年８月１５日付手続補正書の特許請求の範囲の請求項１に記載された事項により特定される、以下のとおりのものである。
「外部供給電源から与えられる外部供給電圧を所定の定電圧に変換して出力するようにスイッチングトランジスタをスイッチング制御するスイッチング型定電圧電源の一種であって、負荷出力側の出力直流電圧が低下した際にスイッチングトランジスタのＯＮ時間を長くする一方で、負荷出力側出力直流電圧が上昇した際にスイッチングトランジスタのＯＮ時間を短くするようにスイッチング周波数を一定に保持した状態でスイッチングトランジスタのＯＮ時間とＯＦＦ時間の合計に対するＯＮ時間の割合であるデューティ率（デューティファクタ）を変更して負荷出力側出力直流電圧を一定電圧に制御するパルス幅変調制御方式のＤＣ／ＤＣコンバータにおいて、
　前記負荷出力側出力直流電圧の供給先の負荷で消費される負荷電流の軽重を検出すると共に、当該負荷の軽重にかかる負荷軽重検出信号を生成する負荷電流検出手段と、
　前記負荷出力側出力直流電圧の目標電圧値からのずれ量を検出すると共に、当該上昇電圧または当該低下電圧に応じた誤差検出増幅信号を生成する誤差検出増幅手段と、
　前記誤差検出増幅信号に基づいて前記負荷出力側出力直流電圧が低下したと判断した際に前記スイッチングトランジスタのＯＮ時間を長くしまた前記誤差検出増幅信号に基づいて前記負荷出力側出力直流電圧が上昇したと判断した際に前記スイッチングトランジスタのＯＮ時間を短くするように、前記スイッチング周波数を一定に保持した状態で当該スイッチングトランジスタの前記デューティ率を変更するパルス幅変調制御用の負荷制御信号を生成するコントローラと、
　負荷及び前記負荷制御信号ならびに前記負荷軽重検出信号に対して各々並列に接続され当該負荷制御信号に応じて当該負荷に前記負荷出力側出力直流電圧を供給する複数の前記スイッチングトランジスタと、当該複数のスイッチングトランジスタのうち予め決められた１つを前記負荷軽重検出信号に応じて非活性化するドライバ選択部と
を有することを特徴とするＤＣ／ＤＣコンバータ。」
　
（１）引用文献
　原査定の拒絶の理由に引用された引用文献及びその記載事項は、前記「２．（２）」に記載したとおりである。
　
（２）対比・判断
　本願発明は、上記したとおりであって、前記２．で検討した本件補正発明から「負荷軽重検出信号」について「検出する識別レベルにヒステリシス特性を持たせた」点を省いたものである。
　そうすると、本願発明の構成要件を全て含み、さらに他の構成要件を付加したものに相当する本件補正発明が、前記「２．（４）」に記載したとおり、引用発明及び周知の事項に基づいて、当業者が容易に発明をすることができたものであるから、本願発明も、同様の理由により、引用発明および周知の事項に基づいて、当業者が容易に発明をすることができたものである。
　
４．むすび
　以上のとおり、本願発明は、引用発明及び周知の事項に基づいて、当業者が容易に発明をすることができたものであるから、特許法第２９条第２項の規定により特許を受けることができない。
　よって、結論のとおり審決する。